(57)【特許請求の範囲】
【請求項１】
開放内部容積（１００）を有するブレーキピストン（１）と、裏当て（２０）を備えピストンの軸（Ａ）に沿う第１の軸方向（Ａ１）へのピストンの移動によってディスク（３）に接触させられるパッド（２）と、裏当ての第１面をこのピストンに固定するためピストンの内部容積に少なくとも部分的に格納される可逆作用を備えた締結手段とを包含している、制動力を働かせるための装置において、前記締結手段が、ピストンの内部容積（１００）と境を成している面取部（１０１）と、面取部からある距離に形成されたピストンの内部容積の周辺拡径部（１０２）と、裏当ての第１面（２１）に固定された受動的締結構成要素（５）と、ピストン（１）内を第１の軸方向とは逆向きの第２の軸方向（Ａ２）に選択的にスライドするように設置された能動的締結構成要素（６）とを包含し、前記受動的締結構成要素（５）がエッジ（５０）を有し、このエッジが、エッジと裏当てとの間のいくつかのポイントでギャップ（５１）を与えるため裏当てから離され、前記能動的締結構成要素（６）が、第１のタイプのいくつかのクリップ（６１）と第２のタイプのいくつかのクリップ（６２）とを包含し、全てのクリップ（６１，６２）の各々が、ピストンの内部容積に格納されピストンの軸（Ａ）から離れる第１の半径方向（Ｒ１）に弾性的に推進される外周枝（６１０，６２０）を有し、第１のタイプの各クリップ（６１）の外周枝（６１０）が第１の軸方向（Ａ１）に指向され、フック（６１１）で終了し、このフックが、ギャップに向けて折り曲げられ裏当ての第１面に当接できる活動部（６１２）と、最初は面取部（１０１）に当接する背面部（６１３）とを有し、第２のタイプの各クリップ（６２）の外周枝（６２０）が第２の軸方向（Ａ２）に指向され、起伏部（６２１）で終了し、パッドがピストンに固定されていない初期状態のもとでのピストン（１）の第１の軸方向（Ａ１）への移動は、裏当ての第１面（２１）に当接する各フック（６１１）の活動部（６１２）を介し、ピストンに関して第２の軸方向（Ａ２）へ能動的締結構成要素（６）を移動させ、各フック（６１１）の背面部（６１３）が面取部（１０１）を越えて導かれることにより、第１の半径方向とは逆方向の第２の半径方向（Ｒ２）へ各フック（６１１）を移動させ、各フックの活動部（６１２）をギャップ（５１）へ挿入させ、そして各起伏部（６２１）をピストンの内部容積の拡径部（１０２）へ挿入させることを特徴とする装置。
【請求項２】
能動的締結要素（６）が、ピストンの中央ガイドピン（１０３）をすべるように動いて越える中央開口（６３０）を包含することを特徴とする請求項１記載の装置。
【請求項３】
一様に間隔をもって離れた第１のタイプの３つのクリップと、第１のタイプのクリップ間に介在され同じく一様に間隔をもって離れた第２のタイプの３つのクリップとを包含することを特徴とする請求項１又は２記載の装置。
【発明の詳細な説明】
本発明は、ディスクブレーキ装置に使用可能であり、かつ、開放内部容積を有するブレーキピストンと、裏当てを備えピストンの軸に沿う第１の軸方向へのピストンの移動によってディスクに接触させられるパッドと、裏当ての第１面をこのピストンに固定するためピストンの内部容積に少なくとも部分的に格納される可逆作用を備えた締結手段とを包含している、制動力を働かせるための装置に関する。
この型式の装置を装備したディスクブレーキ装置は、たとえば特許ＵＳ ４ ６０９ ０７７号に記載されている。
伝統的に、この型式の装置は、締結手段として、パッドの裏当て又はバッキングに永久的に締結され、比較的長い長さを有し、さらにブレーキ装置が組立てられた時にピストンの内部容積に挿入されるスプリングを包含する。
このような配置は、スプリングがピストン内に挿入できるようにするために、ディスクとパッドとの間に十分な空間が残されなければならないことを、必然的に要求している。
本発明の目的は、ディスクブレーキ装置に使用することができ、かつ上記欠点を取り除くようにした、制動力を働かせるための装置を提供することにある。
このため、本発明の装置は、本質的に、前記締結手段が、ピストンの内部容積と境を成している面取部と、面取部からある距離に形成されたピストンの内部容積の周辺拡径部と、裏当ての第１面に固定された受動的締結構成要素と、ピストン内を第１の軸方向とは逆向きの第２の軸方向に選択的にスライドするように設置された能動的締結構成要素とを包含し、前記受動的締結構成要素がエッジを有し、このエッジが、エッジと裏当てとの間のいくつかのポイントでギャップを与えるため裏当てから離され、前記能動的締結構成要素が、第１のタイプのいくつかのクリップと第２のタイプのいくつかのクリップとを包含し、全てのクリップの各々が、ピストンの内部容積に格納されピストンの軸から離れる第１の半径方向に弾性的に推進される外周枝を有し、第１のタイプの各クリップの外周枝が第１の軸方向に指向され、フックで終了し、このフックが、ギャップに向けて折り曲げられ裏当ての第１面に当接できる活動部と、最初は面取部に当接する背面部とを有し、第２のタイプの各クリップの外周枝が第２の軸方向に指向され、起伏部で終了し、パッドがピストンに固定されていない初期状態のもとでのピストンの第１の軸方向への移動は、裏当ての第１面に当接する各フックの活動部を介し、ピストンに関して第２の軸方向へ能動的締結構成要素を移動させ、各フックの背面部が面取部を越えて導かれることにより、第１の半径方向とは逆方向の第２の半径方向へ各フックを移動させ、各フックの活動部をギャップへ挿入させ、そして各起伏部をピストンの内部容積の拡径部へ挿入させることを特徴としている。
本発明の好適な実施例によれば、能動的締結構成要素はピストンの中央ガイドピンをすべるように動いて越える中央開口を包含する。
さらに、この装置は、たとえば一様に間隔をもって離れた第１のタイプの３つのクリップと、そして第１のタイプのクリップ間に介在され同じく一様に間隔をもって離れた第２のタイプの３つのクリップとを包含する。
本発明のさらなる特質及び利点は、添付図面を参照し限定されることのない例として以下に与えられたその記載から明確に明らかになるだろう。
図１は、初期状態を見た、本発明に基づく装置の断面線図である。
図２は、図１のII−II線の方向を見た、受動的及び能動的締結構成要素の平面図である。
図３は、中間の状態にある本発明の装置を示している、図１と同様の断面図である。
図４は、最終状態にある本発明の装置を示している、図１と同様の断面図である。
本発明の装置は、ある意味においてはそれ自体が公知であり、開放内部容積１００を有するブレーキピストン１と、裏当て又はバッキング２０を備えピストン軸Ａに沿う第１の軸方向Ａ１へのピストンの移動によってディスク３に接触させられるパッド２と、可逆作用を備えた締結手段とを包含し、この締結手段は特に本発明の要件であり、この締結手段は少なくとも部分的にピストンの内部容積１００に格納され、そしてこの締結手段は裏当て２０の第１面をこのピストン１に固定するように設計されている。
専門家なら同様に知っているように、ピストン１は要するに液圧シリンダ４内をスライドできるように設置されており、そしてその軸Ａ１に沿う移動はシリンダ４に注入される加圧された液体によって成し遂げられる。
本発明によれば、締結手段は、ピストンの内部容積１００と境を成している面取部１０１と、面取部１０１からある距離をもって形成されたピストンの内部容積１００の累進的な周辺拡径部１０２と、裏当て２０の第１面２１に固定された受動的締結構成要素５と、ピストン１内を第１とは逆向きの第２の軸方向Ａ２に選択的にスライドするように設置された能動的締結構成要素６とを包含している。
図示された実施例において丸い角部を備えた三角形の形をした受動的締結構成要素５は、エッジ５０を有し、図示したように、このエッジ５０がエッジと裏当て２０との間のいくつかのポイントで、あるいはその周囲全体にわたってギャップを与えるため裏当て２０から離されている。
能動的締結構成要素６は、たとえば符号６１のような第１のタイプの３つのクリップと符号６２のような第２のタイプの３つのクリップとを包含し、全てのクリップがそれぞれ、ピストンの内部容積１００に格納されかつピストン１の軸Ａから離れる符号Ｒ１のような第１の半径方向に弾性的に推進される、符号６１０及び６２０のような外周枝又はブランチを有する。
第１及び第２のタイプのクリップは、一様に角をなして間隔をもって離れ、第２のタイプのクリップはさらに、第１のタイプのクリップの間に点在させられている。
能動的締結構成要素６はさらに、開口６３０によって貫通された中央領域６３を有し、この開口６３０はピストン１の中央ガイドピン１０３をすべるように動いて越え、この中央領域６３は第１及び第２のタイプのクリップに接続している。
第１のタイプの各クリップ６１の外周枝６１０は第１の軸方向Ａ１に指向し、フック６１１で終わり、このフックは、一方において、ギャップ５１に向けて折り曲げられ裏当て２０の第１面に当接できる活動部６１２を有し（図３及び４参照）、他方において、初めに面取部に当接する背面部６１３を有する（図１参照）。
第２のタイプの各クリップ６２の外周枝６２０は第２の軸方向Ａ２に指向し、起伏部６２１で終わる。
最後に、符号６１及び６２のようなクリップは、特に面取部１０１及びピストン１の内部容積１００の拡径部１０２に関して、図３及び４に示されかつ以下に詳細が述べられる形状を達成するために専門家が容易に選択することができる寸法を有している。
図１に表わされた相対的な位置から始まってパッド２がピストン１に接近させられる時、能動的締結構成要素６の各フックの活動部６１２は、図３に示すように、パッド裏当て２０の第１面２１に当接するようになる。
パッド２がディスク３に当接していると仮定すれば、ピストンの第１の軸方向Ａ１への移動は、一方において、各フックの活動部６１２が裏当ての第１面に当接していることによって、ピストンに関して第２の軸方向Ａ２へ能動的締結構成要素６を移動させ、他方において、各フック６１１の背面部６１３が面取部１０１を越えて導かれることによって、たとえば符号Ｒ２のように第１とは逆向きの第２の半径方向へ各フック６１１を移動させ、各フックの活動部６１２をギャップ５１へ挿入させ（図４）、そして最後に、第２のタイプの各クリップの起伏部６２１をピストン１の内部容積１００の拡径部１０２へ挿入することになり、最後の移動は、このパッドが交換のために故意に取外される場合を除いて、能動的締結構成要素６又はパッド２にＡ１方向に適用されるかもしれないどんな力に対しても、能動的締結構成要素６がパッドをピストン１に固定状態に維持できるに十分な抵抗力で対抗できるようにしている。
【図１】
0003903289.tif 000002
【図２】
0003903289.tif 000003
【図３】
0003903289.tif 000004
【図４】
0003903289.tif 000005